(57)【要約】【課題】通信相手の伝送装置に警報を発させることなく休止状態に設定可能な伝送装置及び伝送装置の休止方法を提供する。【解決手段】伝送装置は、通信回線と接続され、該通信回線を介して他の伝送装置と通信する少なくとも一つの送受信回路と、前記少なくとも一つの送受信回路へ電力を供給する電源回路と、前記他の伝送装置へ前記少なくとも一つの送受信回路の動作状態を休止状態へ移行させる時刻を指定する第１の休止開始情報を通知するとともに、該第１の休止開始情報において指定された時刻になると前記少なくとも一つの送受信回路に対して前記電源回路からの電力供給を停止する制御回路と、を有する。【選択図】図１
2010263588.tif 000002
【特許請求の範囲】
【請求項１】
伝送装置であって、
通信回線と接続され、該通信回線を介して他の伝送装置と通信する少なくとも一つの送受信回路と、
前記少なくとも一つの送受信回路へ電力を供給する電源回路と、
前記他の伝送装置へ前記少なくとも一つの送受信回路の動作状態を休止状態へ移行させる時刻を指定する第１の休止開始情報を通知するとともに、該第１の休止開始情報において指定された時刻になると前記少なくとも一つの送受信回路に対して前記電源回路からの電力供給を停止する制御回路と、
を有する伝送装置。
【請求項２】
前記制御回路は、前記他の伝送装置から、前記他の伝送装置の動作状態を休止状態へ移行させる時刻を指定する第２の休止開始情報を受信すると、該第２の休止開始情報において指定された時刻になったときに前記少なくとも一つの送受信回路に対して前記電源回路からの電力供給を停止する、請求項１に記載の伝送装置。
【請求項３】
前記制御回路は、前記他の伝送装置から、前記他の伝送装置の動作状態を休止状態へ移行させる時刻を指定する第２の休止開始情報を受信し、かつ前記第１の休止開始情報において指定された時刻が前記第２の休止開始情報において指定された時刻と異なる場合、前記少なくとも一つの送受信回路の優先度が前記他の伝送装置の優先度よりも高ければ、前記第１の休止開始情報において指定された時刻になると前記少なくとも一つの送受信回路に対して前記電源回路からの電力供給を停止し、一方、前記少なくとも一つの送受信回路の優先度が前記他の伝送装置の優先度よりも低ければ、前記第２の休止開始情報において指定された時刻になると前記少なくとも一つの送受信回路に対して前記電源回路からの電力供給を停止する、請求項１に記載の伝送装置。
【請求項４】
前記第１の休止開始情報は、前記少なくとも一つの送受信回路に対する前記電源回路からの電力供給が停止されてから、電力供給が再開されるまでの休止時間をさらに含む、請求項１〜３の何れか一項に記載の伝送装置。
【請求項５】
通信回線と接続され、該通信回線を介して他の伝送装置と通信する少なくとも一つの送受信回路と、前記少なくとも一つの送受信回路へ電力を供給する電源回路とを有する伝送装置の休止方法であって、
前記他の伝送装置へ前記少なくとも一つの送受信回路の動作状態を休止状態へ移行させる時刻を指定する第１の休止開始情報を通知し、
前記第１の休止開始情報において指定された時刻になると前記少なくとも一つの送受信回路に対して前記電源回路からの電力供給を停止する、
ことを含む伝送装置の休止方法。
【発明の詳細な説明】
【技術分野】
【０００１】
ここに開示される実施形態は、伝送装置及びその伝送装置の休止方法に関する。
【背景技術】
【０００２】
光伝送装置など、通信に使用される伝送装置は、複数の回線を介して通信可能なように、複数の送受信回路を有することがある。このような伝送装置では、例えば、予備用回線に接続される送受信回路のように、一部の回路が一時的に使用されなくなることがある。
そこで、伝送装置の電力消費量を抑制するために、このような使用されていない回路を休止状態にする技術が開発されている（例えば、特許文献１〜４を参照）。
【先行技術文献】
【特許文献】
【０００３】
【特許文献１】特開平８−１９１２７３号公報
【特許文献２】特開平４−２９７１６９号公報
【特許文献３】特開２００８−２１７１０８号公報
【特許文献４】特開昭５９−１１４９２９号公報
【発明の概要】
【発明が解決しようとする課題】
【０００４】
しかし、オペレータが、互いに対向する二つの伝送装置の一方を休止状態にすると、他方の伝送装置は、休止状態になった伝送装置から信号を受信しなくなる。そのため、他方の伝送装置は、信号を受信できなくなったことを示す警報を発する。そのような警報が発報されることを防ぐために、オペレータは、対向する二つの伝送装置の両方を同時に休止状態に設定する必要があった。そのため、オペレータは、煩雑な操作手順に従って対向する二つの伝送装置のそれぞれを操作する必要があった。
【０００５】
そこで、本明細書は、通信相手の伝送装置に警報を発させることなく休止状態に設定可能な伝送装置及び伝送装置の休止方法を提供することを目的とする。
【課題を解決するための手段】
【０００６】
一つの実施形態によれば、伝送装置が提供される。この伝送装置は、通信回線と接続され、その通信回線を介して他の伝送装置と通信する少なくとも一つの送受信回路と、少なくとも一つの送受信回路へ電力を供給する電源回路と、少なくとも一つの送受信回路と通信する他の伝送装置へ、少なくとも一つの送受信回路の動作状態を休止状態へ移行させる時刻を指定する第１の休止開始情報を通知するとともに、第１の休止開始情報において指定された時刻になるとその少なくとも一つの送受信回路に対して電源回路からの電力供給を停止する制御回路とを有する。
【０００７】
また他の実施形態によれば、通信回線と接続され、その通信回線を介して他の伝送装置と通信する少なくとも一つの送受信回路と、少なくとも一つの送受信回路へ電力を供給する電源回路とを有する伝送装置の休止方法が提供される。この休止方法は、少なくとも一つの送受信回路と通信する他の伝送装置へ、少なくとも一つの送受信回路の動作状態を休止状態へ移行させる時刻を指定する第１の休止開始情報を通知し、第１の休止開始情報において指定された時刻になるとその少なくとも一つの送受信回路に対して電源回路からの電力供給を停止することを含む。
【０００８】
本発明の目的及び利点は、請求項において特に指摘されたエレメント及び組み合わせにより実現され、かつ達成される。
上記の一般的な記述及び下記の詳細な記述の何れも、例示的かつ説明的なものであり、請求項のように、本発明を限定するものではないことを理解されたい。
【発明の効果】
【０００９】
本明細書に開示された伝送装置及び伝送装置の休止方法は、通信相手の伝送装置に警報を発させることなく休止状態に設定することが可能である。
【図面の簡単な説明】
【００１０】
【図１】一つの実施形態に係る伝送装置の概略構成図である。
【図２】一つの実施形態に係る伝送装置が有する送受信モジュールの動作状態の遷移図である。
【図３】（ａ）は、同期パケットの一例を説明する図であり、（ｂ）は、同期応答パケットの一例を説明する図である。
【図４】送受信モジュールの動作状態を休止状態へ移行させる休止状態移行処理の一例を説明する図である。
【図５】一つの実施形態に係る伝送装置が有する送受信モジュール及びその送受信モジュールと対向する伝送装置の送受信モジュールの動作状態を休止状態へ移行させ、その後、それら二つの送受信モジュールを再起動させるシーケンスの一例を説明する図である。
【発明を実施するための形態】
【００１１】
以下、図を参照しつつ、一つの実施形態に係る伝送装置について説明する。
この伝送装置は、少なくとも一つの送受信モジュールを有する。そしてこの伝送装置は、何れかの送受信モジュールの動作状態を休止状態に設定しようとするとき、その送受信モジュールを介して通信する対向する伝送装置に、休止状態となる休止開始時刻を通知する。そしてこの伝送装置は、休止開始時刻になるとその送受信モジュールの動作状態を休止状態に設定するとともに、対向する伝送装置も同時に休止状態へ移行可能とすることで、対向する伝送装置が警報を発することを防ぐ。
【００１２】
図１は、一つの実施形態による伝送装置１の概略構成図である。伝送装置１は、装置制御回路１１と、スイッチ１２と、電源回路１３と、少なくとも一つの送受信モジュール１４−１〜１４−ｎ（ただしｎは自然数）とを有する。
【００１３】
装置制御回路１１は、プロセッサ、タイマ、メモリ及び周辺回路を有する。そして装置制御回路１１は、伝送装置１の各部を制御する。また装置制御回路１１は、ネットワーク管理システムまたはエレメント管理システムなどの上位システム（図示せず）と接続されている。そして、オペレータが上位システムに対して何れかの送受信モジュール１４−ｋ（ただし、1≦k≦n）の動作状態を変更させるコマンドを入力すると、装置制御回路１１は上位システムからそのコマンドを受信する。そして装置制御回路１１は、上位システムから受信したコマンドによって指定された送受信モジュール１４−ｋに対して、そのコマンドに応じた動作状態へ移行させる制御信号を送信する。あるいは、装置制御回路１１は、予め設定され、装置制御回路１１が有するメモリに記憶されたスケジュールに従って、特定の送受信モジュール１４−ｋの動作状態を変更してもよい。この場合、装置制御回路１１は、例えば、そのスケジュールに示された所定の時刻になったことを内蔵するタイマにより検知すると、送受信モジュール１４−ｋに対して、そのスケジュールに示された動作状態へ移行させる制御信号を送信する。
【００１４】
さらに、装置制御回路１１は、各送受信モジュール１４−１〜１４−ｎの現在の動作状態を、送受信モジュール１４−１〜１４−ｎの識別番号とともに記憶してもよい。また装置制御回路１１は、上位システムからの要求にしたがって、各送受信モジュール１４−１〜１４−ｎの現在の動作状態を上位システムへ通知してもよい。また装置制御回路１１は、何れかの送受信モジュール１４−ｋから受信した警報信号を、上位システムへ転送してもよい。
【００１５】
スイッチ１２は、何れかの送受信モジュール１４−ｋから受信したデータ信号を、そのデータ信号に含まれる宛先情報に従って、他の送受信モジュール１４−ｍ（ただし、1≦m≦n、m≠k）へ転送する。なお、宛先情報は、例えば、データ信号の宛先となる装置のメディアアクセスコントロール（Media Access Control、MAC）アドレスまたはインターネットプロトコル（Internet Protocol、IP）アドレスである。そしてスイッチ１２は、例えば、宛先となる装置の宛先情報と対応する送受信モジュールとが関連付けられたルーティングテーブルを記憶しており、そのルーティングテーブルを参照して信号の転送先を決定する。
【００１６】
電源回路１３は、商用電源（図示せず）あるいはバッテリ（図示せず）と接続される。そして電源回路１３は、商用電源あるいはバッテリから供給された電力を所定の電圧の電力に変換し、その所定の電圧の電力を伝送装置１の各部に供給する。
【００１７】
各送受信モジュール１４−１〜１４−ｎは、所定の通信規格に従って他の伝送装置と通信する。そのために、各送受信モジュール１４−１〜１４−ｎは、それぞれ、通信回線２−１〜２−ｎを介して、他の伝送装置と接続されている。例えば、送受信モジュール１４−ｋは、通信回線２−ｋを介して伝送装置３の送受信モジュール３１と接続されている。なお、伝送装置３は、送受信モジュール３１が有する動作状態の種類及び動作状態の遷移に関して、伝送装置１と同様の機能及び構成を有してもよい。
通信回線２−１〜２−ｎは、例えば、光ファイバ、ツイストペアケーブルあるいは同軸ケーブルとすることができる。さらに通信回線２−１〜２−ｎのそれぞれの途中には、通信回線２−１〜２−ｎ上を伝送される信号を増幅する１台以上の中継装置が設置されていてもよい。
また各送受信モジュール１４−１〜１４−ｎは、スイッチ１２と接続されている。そして各送受信モジュール１４−１〜１４−ｎは、送受信回路２１と制御回路２２を有する。
なお、各送受信モジュール１４−１〜１４−ｎは、同一の機能及び同一の構成を有するものとすることができるため、以下では、送受信モジュール１４−ｋについて説明する。
【００１８】
送受信回路２１は、例えば、対向する伝送装置３の送受信モジュール３１から所定の通信規格に従って通信回線２−ｋを通じて受信した光信号または電気信号からフレームを検出する。そして送受信回路２１は、そのフレームからデータ信号を取り出す。そして送受信回路２１は、取り出されたデータ信号に対して前方誤り訂正（Forward Error Correction、FEC）符号などの誤り訂正処理を行う。そして送受信回路２１は、誤り訂正されたデータ信号をスイッチ１２へ出力する。また送受信回路２１は、その誤り訂正処理を行うことによって、取り出されたデータ信号に対するビットエラーレートを測定する。そして送受信回路２１は、測定したビットエラーレートを、送受信モジュール１４−ｋと送受信モジュール３１間の通信状態を表す回線状態情報として制御回路２２へ通知する。また、送受信回路２１は、通信回線２−ｋを通じて受信した信号からフレームを検出できたか否かを表す信号を回線状態情報としてもよい。
一方、送受信回路２１は、スイッチ１２から受信したデータ信号を、誤り訂正符号及びヘッダ情報とともにフレームにマッピングする。そして送受信回路２１は、そのフレームを光信号または電気信号として通信回線２−ｋを介して伝送装置３の送受信モジュール３１へ送信する。
なお、所定の通信規格は、例えば、SONET（Synchronous Optical Network）／SDH（Synchronous Digital Hierarchy）またはイーサネット（登録商標）である。
【００１９】
制御回路２２は、プロセッサ、タイマ、メモリ及び周辺回路を有する。そして制御回路２２は、装置制御回路１１からの制御信号に応じて、あるいは、送受信回路２１から通知された回線状態情報に応じて、送受信モジュール１４−ｋの動作状態を切り替える。さらに、制御回路１１は、送受信モジュール３１から受信した、送受信モジュール３１の動作状態を変更することを通知する信号に応じて、送受信モジュール１４−ｋの動作状態を切り替える。また制御回路２２は、送受信モジュール１４−ｋの現在の動作状態を記憶する。さらに制御回路２２は、送受信モジュール１４−ｋの動作状態が変更される度に、送受信モジュール１４−ｋの現在の動作状態を、装置制御回路１１へ通知してもよい。
さらに制御回路２２は、送受信モジュール１４−ｋの動作状態が休止状態となっている場合、電源回路１３から送受信回路２１への電力供給を停止させる。
【００２０】
図２は、送受信モジュール１４−ｋの動作状態の遷移図である。送受信モジュール１４−ｋは、動作状態として、正常稼動状態２０１、停止自律状態２０２、停止自律管理状態２０３、停止管理状態２０４、休止準備管理状態２０５、休止準備自律管理状態２０６及び休止状態２０７を有する。
【００２１】
・正常稼動状態（In-Service and Normal、IS-NR）２０１は、送受信モジュール１４−ｋが通信サービスの提供中であり、かつ送受信モジュール１４−ｋが正常に動作していることを表す。送受信モジュール１４−ｋの動作状態がIS-NRであれば、送受信モジュール１４−ｋは、スイッチ１２を介して受信したデータ信号を、通信回線２−ｋを介して送受信モジュール１４−ｋと対向する伝送装置３の送受信モジュール３１へ送信する。また送受信モジュール１４−ｋは、伝送装置３の送受信モジュール３１から通信回線２−ｋを介して受信したデータ信号をスイッチ１２へ出力する。
【００２２】
・停止自律状態（Out-of-Service and Autonomous、OOS-AU）２０２は、送受信モジュール１４−ｋが通信サービスの提供中であり、かつ送受信モジュール１４−ｋが送受信モジュール３１と通信不能であることを表す。送受信モジュール１４−ｋの動作状態がOOS-AUであれば、送受信モジュール１４−ｋは、スイッチ１２を介して受信したデータ信号を、通信回線２−ｋを介して送受信モジュール３１へ送信する。また送受信モジュール１４−ｋは、送受信モジュール３１から送信されたデータ信号を通信回線２−ｋを介して受信しようとするが、そのデータ信号を再生不能となっている。そのため、制御回路２２は、データ信号が再生不能であることを表す回線状態情報を送受信モジュール１４−ｋの送受信回路２１から受け取るので、送受信モジュール３１と通信不能であることを示す警報信号を装置制御回路１１へ出力する。
【００２３】
・停止自律管理状態（Out-of-Service and Autonomous Management、OOS-AUMA）２０３は、送受信モジュール１４−ｋがオペレータにより通信サービスの提供を停止されており、かつ送受信モジュール１４−ｋが送受信モジュール３１と通信不能であることを表す。送受信モジュール１４−ｋの動作状態がOOS-AUMAであれば、送受信モジュール１４−ｋは、スイッチ１２を介して受信したデータ信号を送信しない。この場合、送受信モジュール１４−ｋは、テスト用の信号を通信回線２−ｋを介して送受信モジュール３１へ送信する。また送受信モジュール１４−ｋの送受信回路２１は、送受信モジュール３１から送信されたテスト用の信号を通信回線２−ｋを介して受信し、受信したテスト信号に基づいて回線状態情報を生成する。そして送受信回路２１は、その回線状態情報を送受信モジュール１４−ｋの制御回路２２へ通知する。OOS-AUMAでは、送受信モジュール１４−ｋは、送受信モジュール３１から送信されたテスト用の信号を再生不能となっている。そのため、制御回路２２は、そのテスト用の信号が再生不能であることを表す回線状態情報を受け取るので、送受信モジュール３１と通信不能であることを示す警報信号を装置制御回路１１へ出力する。
【００２４】
・停止管理状態（Out-of-Service and Management、OOS-MA）２０４は、送受信モジュール１４−ｋがオペレータにより通信サービスの提供を停止されていることを表す。送受信モジュール１４−ｋの動作状態がOOS-MAであれば、送受信モジュール１４−ｋは、スイッチ１２を介して受信したデータ信号を送信しない。この場合、送受信モジュール１４−ｋは、テスト用の信号を通信回線２−ｋを介して送受信モジュール３１へ送信する。また送受信モジュール１４−ｋは、送受信モジュール３１から送信されたテスト用の信号を通信回線２−ｋを介して受信する。そして送受信モジュール１４−ｋの送受信回路２１は、回線状態情報を生成し、その回線状態情報を送受信モジュール１４−ｋの制御回路２２へ通知する。またOOS-MAでは、送受信モジュール１４−ｋは、送受信モジュール３１から送信されたテスト用の信号を再生可能となっている。そのため、制御回路２２は送受信モジュール３１と通信不能であることを示す警報信号を出力しない。
【００２５】
・休止準備管理状態（Sleep-Standby and Management、Sleep-STY-MA）２０５は、送受信モジュール１４−ｋが休止状態に移行するための準備状態であることを表す。送受信モジュール１４−ｋの動作状態がSleep-STY-MAであれば、送受信モジュール１４−ｋは、後述する休止状態移行処理を実行する。あるいは送受信モジュール１４−ｋは、送受信モジュール１４−ｋの動作状態が休止状態から復帰したときに、送受信モジュール３１と通信可能か否かを判定する。そして送受信モジュール１４−ｋは、その判定結果に応じて、送受信モジュール１４−ｋの動作状態をOOS-MAまたは休止準備自律管理状態へ移行する。
【００２６】
・休止準備自律管理状態（Sleep-Standby and Autonomous Management、Sleep-STY-AUMA）２０６は、送受信モジュール１４−ｋが休止状態に移行するための準備状態であり、かつ送受信モジュール１４−ｋが送受信モジュール３１と通信不能であることを表す。送受信モジュール１４−ｋの動作状態がSleep-STY-AUMAであれば、送受信モジュール１４−ｋは、テスト用の信号を通信回線２−ｋを介して送受信モジュール３１へ送信する。また送受信モジュール１４−ｋの送受信回路２１は、送受信モジュール３１から送信されたテスト用の信号を通信回線２−ｋを介して受信し、受信したテスト信号に基づいて回線状態情報を生成する。そして送受信回路２１は、その回線状態情報を送受信モジュール１４−ｋの制御回路２２へ通知する。Sleep-STY-AUMAでは、送受信モジュール１４−ｋは、送受信モジュール３１から送信されたテスト用の信号を再生不能となっている。そのため、制御回路２２は、そのテスト用の信号が再生不能であることを表す回線状態情報を受け取るので、テスト用の信号を再生不能である状態が一定期間が継続した後に、送受信モジュール３１と通信不能であることを示す警報信号を装置制御回路１１へ出力する。
【００２７】
・休止状態（Sleep）２０７は、送受信モジュール１４−ｋが休止状態にあることを表す。送受信モジュール１４−ｋの動作状態がSleepであれば、送受信モジュール１４−ｋは、通信回線２−ｋへ何の信号も送信せず、かつ通信回線２−ｋから信号を受信しても廃棄する。また、制御回路２２は、送受信回路２１が通信回線２−ｋから再生可能な信号を受信しなくても、送受信モジュール３１と通信不能であることを示す警報信号を出力しない。また送受信回路２１への電源回路１３からの電力供給が停止される。
【００２８】
制御回路２２は、送受信モジュール１４−ｋの動作状態のうち、IS-NR、OOS-AU、OOS-AUMA及びOOS-MA間の状態遷移を、例えば、Telcordiaの状態遷移モデルに従って行うことができる。
すなわち、制御回路２２は、送受信モジュール１４−ｋの動作状態がIS-NRであるときに、装置制御回路１１から送受信モジュール１４−ｋに対して通信サービスを停止させる制御信号OOSを受信すると、送受信モジュール１４−ｋの動作状態をOOS-MAに移行する。
また、制御回路２２は、送受信モジュール１４−ｋの動作状態がIS-NRであるときに、伝送装置３の送受信モジュール３１と正常に通信できないことを示す回線状態情報を送受信回路２１から受け取ると、送受信モジュール１４−ｋの動作状態をOOS-AUに移行する。
【００２９】
制御回路２２は、送受信モジュール１４−ｋの動作状態がOOS-AUであるときに、装置制御回路１１から送受信モジュール１４−ｋに対して通信サービスを停止させる制御信号OOSを受信すると、送受信モジュール１４−ｋの動作状態をOOS-AUMAに移行する。
また、制御回路２２は、送受信モジュール１４−ｋの動作状態がOOS-AUであるときに、伝送装置３の送受信モジュール３１と正常に通信できることを示す回線状態情報を送受信回路２１から受け取ると、送受信モジュール１４−ｋの動作状態をIS-NRに移行する。
【００３０】
制御回路２２は、送受信モジュールの動作状態がOOS-MAであるときに、装置制御回路１１から送受信モジュール１４−ｋに対して通信サービスを開始させる制御信号ISを受信すると、送受信モジュール１４−ｋの動作状態をIS-NRに移行する。
また、制御回路２２は、送受信モジュール１４−ｋの動作状態がOOS-MAであるときに、伝送装置３の送受信モジュール３１と正常に通信できないことを示す回線状態情報を送受信回路２１から受け取ると、送受信モジュール１４−ｋの動作状態をOOS-AUMAに移行する。
【００３１】
制御回路２２は、送受信モジュール１４−ｋの動作状態がOOS-AUMAであるときに、装置制御回路１１から送受信モジュール１４−ｋに対して通信サービスを開始させる制御信号ISを受信すると、送受信モジュール１４−ｋの動作状態をOOS-AUに移行する。
また、制御回路２２は、送受信モジュール１４−ｋの動作状態がOOS-AUMAであるときに、伝送装置３の送受信モジュール３１と正常に通信できることを示す回線状態情報を送受信回路２１から受け取ると、送受信モジュール１４−ｋの動作状態をOOS-MAに移行する。
【００３２】
制御回路２２は、送受信モジュール１４−ｋの動作状態がOOS-MAであるときに、装置制御回路１１から送受信モジュール１４−ｋの動作状態をSleepにさせる制御信号Sleep-STYを受信するか、指定された休止開始時刻になると、後述する休止状態移行処理を実行する。そして制御回路２２は、休止状態移行処理が正常に終了した後、送受信モジュール１４−ｋの動作状態をSleepに移行する。
一方、休止状態移行処理が正常に終了しなかった場合、制御回路２２は、送受信モジュール１４−ｋの動作状態をSleep-STY-AUMAに移行する。
【００３３】
送受信モジュール１４−ｋの動作状態をSleepへ移行させる際、送受信モジュール１４−ｋと送受信モジュール３１間で、それら二つの送受信モジュールを同時にSleepへ移行させるために必要な情報を含む同期パケットまたは同期応答パケットが交換される。さらに同期パケット及び同期応答パケットには、送受信モジュール１４−ｋと送受信モジュール３１がSleepから同時に復帰させるために必要な情報も含む。
同期パケット及び同期応答パケットは、例えば、通信回線２−ｋを構成する光ファイバ伝送路に設定されるデータ通信用チャネルを介して、送受信モジュール１４−ｋと送受信モジュール３１間を伝送される。あるいは、同期パケット及び同期応答パケットは、通信回線２−ｋと別個に設けられた制御通信用ネットワークを介して、送受信モジュール１４−ｋと送受信モジュール３１間を伝送されてもよい。
【００３４】
図３（ａ）は、同期パケットの一例を説明する図である。また図３（ｂ）は、同期応答パケットの一例を説明する図である。同期パケット３００及び同期応答パケット３１０は、識別フラグ３０１と、休止開始時刻３０２と、調整時間３０３と、休止時間３０４とを含む。
識別フラグ３０１は、パケットが同期パケットまたは同期応答パケットの何れであるかを示すフラグである。例えば、識別フラグ３０１の値が"01"であれば、識別フラグ３０１を含むパケットは同期パケットであり、識別フラグ３０１の値が"02"であれば、識別フラグ３０１を含むパケットは同期応答パケットである。
休止開始時刻３０２は、休止状態移行処理を開始する時刻を表す。休止開始時刻３０２は、例えば、上位システムから装置制御回路１１へ、送受信モジュール１４−ｋの動作状態をSleepへ移行させるコマンドが通知された時刻に設定される。あるいは、休止開始時刻３０２は、制御回路２２が有するメモリあるいは装置制御回路１１が有するメモリに記憶された休止開始時刻に設定される。
調整時間３０３は、互いに通信する二つの送受信モジュールを同時に休止状態へ移行させるための調整期間を表す。例えば、調整時間３０３は、０秒〜１分の何れかに設定される。
休止時間３０４は、互いに通信する二つの送受信モジュールが休止状態にある期間を表す。
【００３５】
送受信モジュール１４−ｋの制御回路２２は、同期パケット及び同期応答パケットに含まれる調整時間及び休止開始時刻を参照することにより、送受信モジュール１４−ｋの動作状態をSleepへ移行させる時刻を、送受信モジュール３１の動作状態をSleepへ移行させる時刻に一致させる。また制御回路２２は、同期パケット及び同期応答パケットに含まれる休止時間を参照することにより、送受信モジュール１４−ｋが再起動する時刻を、送受信モジュール３１が再起動する時刻に一致させる。
【００３６】
なお、同期パケット及び同期応答パケットは、休止時間の代わりに、送受信モジュールを再起動させる時刻を含んでいてもよい。また、休止開始時刻は、送受信モジュールの動作状態がSleepへ移行する時刻そのものであってもよい。この場合、制御回路２２は、休止開始時刻よりも所定時間前になると、休止状態移行処理を開始する。この所定時間は、休止状態移行処理を実行するために十分な時間、例えば、５分間に設定される。そして制御回路２２は、送受信モジュール１４−ｋと３１の間で同期パケット及び同期応答パケットを交換することにより、休止開始時刻及び休止時刻を調整した後、休止開始時刻になると送受信モジュール１４−ｋの動作状態をSleepへ移行させる。そのため、制御回路２２は、調整時間を使用しないので、同期パケット及び同期応答パケットは、調整時間を含まなくてもよい。
さらに、同期パケットは、同期パケットを送信する送受信モジュールまたはその送受信モジュールを有する伝送装置の優先度を含んでもよい。同様に、同期応答パケットは、同期応答パケットを送信する送受信モジュールまたはその送受信モジュールを有する伝送装置の優先度を含んでもよい。
【００３７】
図４は、送受信モジュール１４−ｋの動作状態をSleepへ移行させる休止状態移行処理の一例を説明する図である。
送受信モジュール１４−ｋの制御回路２２は、装置制御回路１１から送受信モジュール１４−ｋの動作状態をSleepにさせる制御信号Sleep-STYを受信すると、送受信モジュール１４−ｋの動作状態をOOS-MAからSleep-STY-MAへ移行させる（オペレーションＡＡ）。あるいは、制御回路２２が有するメモリに記憶された休止開始時刻になったときに、制御回路２２はオペレーションＡＡを実行する。
【００３８】
次に、制御回路２２は、正常性確認処理を行って、送受信モジュール１４−ｋが送受信モジュール１４−ｋと対向する伝送装置３の送受信モジュール３１と正常に通信できるか否か確認する（オペレーションＡＢ）。送受信モジュール１４−ｋが送受信モジュール３１と正常に通信できなければ（オペレーションＡＢ：Ｎ）、制御回路２２は、送受信モジュール１４−ｋの動作状態ををSleep-STY-AUMAへ移行させる（オペレーションＡＣ）。その後、制御回路２２は、一定期間中、送受信モジュール１４−ｋが送受信モジュール３１と正常に通信できるか否か再度確認する（オペレーションＡＤ）。なお一定期間は、例えば、60秒間に設定される。
【００３９】
なお、制御回路２２は、正常性確認処理として、送受信回路２１に、送受信モジュール３１へ所定のテスト信号を送信させる。また送受信回路２１は、送受信モジュール３１から送信された、その所定のテスト信号に対する応答信号を受信し、その応答信号から回線状態情報を生成する。そして送受信回路２１は、生成した回線状態情報を制御回路２２へ通知する。制御回路２２は、回線状態情報に基づいて、送受信モジュール１４−ｋが送受信モジュール３１と正常に通信できるか否か判定する。例えば、回線状態情報が、応答信号に対して測定されたビットエラーレートであれば、制御回路２２は、ビットエラーレートが応答信号を再生できることを示す値のとき、送受信モジュール１４−ｋが送受信モジュール３１と正常に通信できると判定する。一方、ビットエラーレートが応答信号を再生できないことを示す値のとき、制御回路２２は、送受信モジュール１４−ｋが送受信モジュール３１と正常に通信できないと判定する。また、回線状態情報が、応答信号に対するフレームの検出結果であれば、制御回路２２は、回線状態情報が応答信号に対するフレームを検出できたことを示すとき、送受信モジュール１４−ｋが送受信モジュール３１と正常に通信できると判定する。一方、回線状態情報が応答信号に対するフレームを検出できなかったことを示すとき、制御回路２２は、送受信モジュール１４−ｋが送受信モジュール３１と正常に通信できないと判定する。
【００４０】
一定期間内に送受信モジュール１４−ｋが送受信モジュール３１と正常に通信できるようになった場合（オペレーションＡＤ：Ｙ）、制御回路２２は、送受信モジュール１４−ｋの動作状態ををSleep-STY-MAへ復帰させる（オペレーションＡＥ）。その後制御回路２２は、制御をオペレーションＡＧへ移行する。一方、一定期間を経過しても送受信モジュール１４−ｋが送受信モジュール３１と正常に通信できなかった場合（オペレーションＡＤ：Ｎ）、制御回路２２は、通信不能である旨を表す警報信号を装置制御回路１１へ渡す（オペレーションＡＦ）。そして制御回路２２は、休止状態移行処理を終了する。
【００４１】
一方、オペレーションＡＢにて、送受信モジュール１４−ｋが送受信モジュール３１と正常に通信できる場合（オペレーションＡＢ：Ｙ）またはオペレーションＡＥの後、制御回路２２は、休止開始時刻、調整時刻及び休止時間を含む同期パケットを生成する。制御回路２２は、生成した同期パケットを送受信モジュール１４−ｋの送受信回路２１に渡す。そして制御回路２２は、送受信回路２１にその同期パケットを、送受信モジュール３１へ送信させる（オペレーションＡＧ）。
【００４２】
次に、制御回路２２は、伝送装置３の送受信モジュール３１から受信した同期応答パケットを参照する。そして制御回路２２は、同期応答パケットに含まれる休止開始時刻、調整時刻及び休止時間が、それぞれ、送受信モジュール１４−ｋに対して設定された休止開始時刻、調整時刻及び休止時間と一致するか否か判定する（オペレーションＡＨ）。同期応答パケットに含まれる休止開始時刻、調整時刻及び休止時間と、送受信モジュール１４−ｋに対して設定された休止開始時刻、調整時刻及び休止時間の何れかが一致しないことがある（オペレーションＡＨ：Ｎ）。この場合、制御回路２２は、送受信モジュール１４−ｋの優先度が送受信モジュール３１の優先度よりも高いか否か判定する（オペレーションＡＩ）。なお、優先度は、伝送装置ごと、または送受信モジュールごとに一意に設定される番号であることが好ましい。例えば、優先度は、伝送装置または送受信モジュールの識別番号とすることができる。そしてこの場合、制御回路２２は、識別番号が大きいほど優先度が高いと判定する。あるいは、制御回路２２は、識別番号が小さいほど優先度が高いと判定してもよい。
【００４３】
送受信モジュール１４−ｋの優先度が伝送装置３の送受信モジュール３１の優先度よりも低い場合（オペレーションＡＩ：Ｎ）、制御回路２２は、送受信モジュール１４−ｋに対して設定された休止開始時刻などを修正する。具体的には、制御回路２２は、送受信モジュール１４−ｋに対して設定された休止開始時刻、調整時刻及び休止時間を、同期応答パケットに含まれる休止開始時刻、調整時刻及び休止時間に一致させる（オペレーションＡＪ）。そして制御回路２２は、修正された休止開始時刻、調整時刻及び休止時間を、制御回路２２が有するメモリに記憶する。
【００４４】
オペレーションＡＪの後、制御回路２２は、同期応答パケットを受信したことを確認する信号を、伝送装置３の送受信モジュール３１へ送信させる（オペレーションＡＫ）。また、オペレーションＡＨにて、同期応答パケットに含まれる休止開始時刻、調整時刻及び休止時間が、それぞれ、送受信モジュール１４−ｋに対して設定された休止開始時刻、調整時刻及び休止時間と一致する場合（オペレーションＡＨ：Ｙ）も、制御回路２２はオペレーションＡＫを実行する。同様に、オペレーションＡＩにて、送受信モジュール１４−ｋの優先度が伝送装置３の送受信モジュール３１の優先度よりも高い場合（オペレーションＡＩ：Ｙ）も、制御回路２２はオペレーションＡＫを実行する。
【００４５】
オペレーションＡＫの後、所定の調整時間に送受信モジュール１４−ｋと送受信モジュール３１間のラウンドトリップタイムの半分を加算した時間が経過すると、制御回路２２は、装置制御回路１１へ送受信モジュール１４−ｋの動作状態がSleepへ移行することを通知する。そして制御回路２２は、送受信モジュール１４−ｋの動作状態をSleepへ移行する（オペレーションＡＬ）。また制御回路２２は、電源回路１３から送受信回路２１への電力供給を停止する（オペレーションＡＭ）。そして制御回路２２は、休止状態移行処理を終了する。
【００４６】
なお、制御回路２２は、送受信モジュール１４−ｋの動作状態がSleepへ移行したときからの経過時間を制御回路２２が有するタイマにより計時する。そして制御回路２２は、その経過時間が制御回路２２のメモリに記憶された休止時間に達したとき、送受信モジュール１４−ｋを再起動し、送受信モジュール１４−ｋの動作状態をSleep-STY-MAへ移行する。そして、制御回路２２は、送受信モジュール１４−ｋが伝送装置３の送受信モジュール３１と正常に通信できるか否かを確認する正常性確認処理を実行する。そしてその正常性確認処理により、送受信モジュール１４−ｋが送受信モジュール３１と正常に通信できることが確認された後、制御回路２２は送受信モジュール１４−ｋの動作状態をOOS-MAへ移行する。一方、制御回路２２は、正常性確認処理により、送受信モジュール１４−ｋが送受信モジュール３１と正常に通信できることを確認できなければ、送受信モジュール１４−ｋの動作状態をSleep-STY-AUMAへ移行する。
【００４７】
また制御回路２２は、例えばオペレーションＡＫからＣＬの間に、休止時間を送受信モジュール１４−ｋの識別番号とともに装置制御回路１１へ通知してもよい。これにより、装置制御回路１１が、休止時間が経過した後に送受信モジュール１４−ｋを再起動させることができる。そのため、オペレーションＡＭにて、電源回路１３は、送受信モジュール１４−ｋの送受信回路２１だけでなく、送受信モジュール１４−ｋの制御回路２２への電源供給も停止することができる。
【００４８】
また、制御回路２２は、送受信モジュール１４−ｋを再起動させた後、制御回路２２が有するメモリに記憶された休止開始時刻に基づいて、次の休止開始時刻を決定してもよい。そして制御回路２２は、次の休止開始時刻を制御回路２２が有するメモリに記憶する。あるいは、制御回路２２は、次の休止開始時刻を装置制御回路１１へ通知する。この場合、制御回路２２は、例えば、元の休止開始時刻に、予め設定された所定の期間を加えることにより、次の休止開始時刻を設定する。この所定の期間は、例えば、伝送装置１または送受信モジュール１４−ｋに対して行われる定期的なメンテナンスの間隔とすることができる。このように、次の休止開始時刻を自動的に決定することにより、制御回路２２は、一定の間隔を空けて自動的に送受信モジュール１４−ｋの動作状態をSleepへ移行させることができる。
また制御回路２２は、次の休止開始時刻を、上位システムを介したオペレータの操作に基づいて設定してもよい。
【００４９】
また、伝送装置１の送受信モジュール１４−ｋに対向する伝送装置３の送受信モジュール３１が、送受信モジュール１４−ｋよりも先に休止状態移行処理を開始することもある。この場合、上記のオペレーションＡＧにて、送受信回路２１は同期パケットを送信する代わりに、送受信モジュール３１から同期パケットを受信する。そして送受信回路２１は、受信した同期パケットを制御回路２２へ渡す。そして制御回路２２は、送受信モジュール１４−ｋの動作状態をOOS-MAからSleep-STY-MAへ移行させる。またオペレーションＡＫにて、制御回路２２は、送受信回路２１に同期応答パケットを送受信モジュール３１へ送信させる。さらにオペレーションＡＬにて、制御回路２２は、同期応答パケットを送信した後、所定の調整時間が経過すると、装置制御回路１１へ送受信モジュール１４−ｋの動作状態がSleepへ移行することを通知する。そして制御回路２２は、送受信モジュール１４−ｋの動作状態をSleepへ移行する。
【００５０】
また、指定された休止開始時刻になったとき、二つの送受信モジュール１４−ｋ及び３１は、同時に休止状態移行処理を開始する。そのため、二つの送受信モジュール１４−ｋ及び３１のうち、優先度が高い方の送受信モジュールのみが同期パケットを送信してもよい。そして優先度が低い方の送受信モジュールは、同期応答パケットを返信する。
さらに、オペレーションＡＦの後、制御回路２２は、送受信モジュール１４−ｋの動作状態をSleepへ移行させてもよい。
なお、別な実施形態においては、上記オペレーションＡＡ〜ＡＭの各オペレーションはステップであってもよい。
【００５１】
また、図４のオペレーションＡＡにて、送受信モジュール１４−ｋの動作状態がOOS-AUMAであれば、制御回路２２は、送受信モジュール１４−ｋの動作状態を直接Sleep-STY-AUMAへ移行する。そして制御回路２２は、オペレーションＡＢ及びＡＣを省略し、オペレーションＡＤ以降の処理を実行する。
【００５２】
図５は、送受信モジュール１４−ｋ及び送受信モジュール１４−ｋと対向する伝送装置３の送受信モジュール３１の動作状態をSleepへ移行し、その後、送受信モジュール１４−ｋ及び送受信モジュール３１を再起動させるシーケンスの一例を説明する図である。
図５において、上側の線５０１は、送受信モジュール１４−ｋの経過時間に対応し、下側の線５０２は、送受信モジュール３１の経過時間に対応する。また時間は、右側ほど遅いものとする。
【００５３】
送受信モジュール１４−ｋの制御回路２２は、指定された休止開始時刻になると、同期パケットを伝送装置３の送受信モジュール３１へ送信する（オペレーションＢＡ）。一方、送受信モジュール３１は、伝送装置１の送受信モジュール１４−ｋから同期パケットを受信すると、同期応答パケットを返信する（オペレーションＣＡ）。
また、送受信モジュール１４−ｋは、同期応答パケットを受信すると、同期応答パケットを受信したことを示す確認信号を送受信モジュール３１へ送信する（オペレーションＢＢ）。
【００５４】
制御回路２２は、確認信号の送信後、所定の調整時間に送受信モジュール１４−ｋと送受信モジュール３１間のラウンドトリップタイムの半分を加算した時間が経過すると、送受信モジュール１４−ｋの動作状態をSleepへ移行する（オペレーションＢＣ）。一方、伝送装置３の送受信モジュール３１の動作状態は、送受信モジュール１４−ｋから確認信号を受信した後、所定の調整時間が経過すると、Sleepへ移行する（オペレーションＣＢ）。すなわち、送受信モジュール１４及び送受信モジュール３１の動作状態は、同時にSleepへ移行する。
【００５５】
送受信モジュール１４−ｋ及び送受信モジュール３１の動作状態がSleepへ移行してから、所定の休止時間が経過すると、制御回路２２は、送受信モジュール１４−ｋを再起動させ、送受信モジュール１４−ｋの動作状態をSleep-STY-MAへ移行させる（オペレーションＢＤ）。また送受信モジュール３１も再起動し、その送受信モジュールの動作状態はSleep-STY-MAに移行する（オペレーションＣＣ）。すなわち、送受信モジュール１４及び送受信モジュール３１は、同時に再起動する。
【００５６】
送受信モジュール１４−ｋ及び送受信モジュール３１が再起動すると、制御回路２２は、送受信モジュール１４−ｋ及び送受信モジュール３１間の通信が正常に行われるか否かを確認する正常性確認処理を実行する（オペレーションＢＥ）。
そして制御回路２２は、送受信モジュール３１と正常に通信できることを確認すると、送受信モジュール１４−ｋの動作状態をOOS-MAへ移行する（オペレーションＢＦ）。また、送受信モジュール３１も、送受信モジュール１４−ｋと正常に通信できることを確認すると、送受信モジュール３１の動作状態をOOS-MAへ移行する（オペレーションＣＤ）。なお、別な実施形態においては、上記オペレーションＢＡ〜ＢＦ及びＣＡ〜ＣＤの各オペレーションはステップであってもよい。
【００５７】
以上に説明してきたように、一つの実施形態に係る伝送装置は、何れかの送受信モジュールを休止状態に設定しようとするとき、その送受信モジュールと対向する伝送装置に、休止状態へ移行する休止開始時刻を通知する。そのため、この伝送装置は、休止しようとする送受信モジュールを、その送受信モジュールと対向する伝送装置の送受信モジュールと同時に休止状態に移行させることができる。そのため、この伝送装置は、送受信モジュールを休止状態に移行させる際、その送受信モジュールと対向する伝送装置が無用な警報を発することを防ぐことができる。またこの伝送装置は、任意の送受信モジュールを休止させる際、オペレータは、その送受信モジュールと対向する伝送装置に対して何ら操作を行わなくてもよい。さらに、この伝送装置は、休止しようとする送受信モジュールと対向する伝送装置に、休止状態となる期間を表す休止時間を通知する。そのため、この伝送装置は、休止状態にある送受信モジュールを、その送受信モジュールと対向する伝送装置と同時に再起動させることができる。したがって、この伝送装置は、送受信モジュールが再起動する際、この伝送装置または対向する伝送装置が通信不能であることを示す警報を発することを防止できる。
【００５８】
なお、本発明は上記の実施形態に限定されるものではない。例えば、図１において、装置制御回路１１が各送受信モジュール１４−１〜１４−ｎの動作状態を制御してもよい。この場合、装置制御回路１１は、各送受信モジュール１４−１〜１４−ｎの現在の動作状態を、送受信モジュールの識別番号とともに装置制御回路１１が有するメモリに記憶する。さらに装置制御回路１１が有するメモリは、各送受信モジュール１４−１〜１４−ｎについて設定された休止開始時刻、調整時間及び休止時間を、送受信モジュールの識別番号とともに記憶する。
そして装置制御回路１１は、上位システムから何れかの送受信モジュール１４−ｋを休止させるコマンドを受信するか、設定された休止開始時刻になると、上記の図４とともに説明した休止状態移行処理を実行する。この場合、図４のオペレーションＡＭにて、電源回路１３は、送受信モジュール１４−ｋの送受信回路２１だけでなく、送受信モジュール１４−ｋの制御回路２２への電源供給も停止してもよい。また図４のオペレーションＡＧにて、伝送装置１と伝送装置３を接続する通信回線が通信回線２−ｋ以外にも存在する場合、装置制御回路１１は、通信回線２−ｋ以外の通信回線に設定されたデータ通信用チャネルを介して同期パケットを送信してもよい。
【００５９】
また、伝送装置は、他の構成を有していてもよい。例えば、伝送装置は、波長分割多重型光伝送装置であってもよい。この場合、光伝送装置に含まれる送受信モジュールのそれぞれは、ユーザ回線（図示せず）に接続される。そして各送受信モジュールは、ユーザ回線を介して受信した信号に対応する一つの波長の光信号を出力する。そして各送受信モジュールから出力されたそれぞれの光信号はマルチプレクサ（図示せず）によって多重化される。その多重化された光信号は、光ファイバなどの光伝送路を介して、対向する光伝送装置へ送信される。一方、光伝送装置は、対向する光伝送装置から光伝送路を介して多重化された光信号を受信する。そして光伝送装置は、受信した光信号をデマルチプレクサ（図示せず）により波長ごとの光信号に分離して、分離された各波長の光信号をそれぞれ一つの送受信モジュールへ渡す。
この場合も、光伝送装置の各送受信モジュールの動作状態は、図２に表された状態遷移に従って遷移する。そして各送受信モジュールが有する制御回路あるいは光伝送装置が有する装置制御回路は、図４に表された休止状態移行処理を実行することにより、各送受信モジュールの動作状態をSleepへ移行させることができる。
【００６０】
また、伝送装置の各送受信モジュールがデータ信号を送受信する他の伝送装置が予め設定されているのであれば、各送受信モジュールは２台以上の他の伝送装置と通信するものであってもよい。この場合、送受信モジュールの制御回路は、その送受信モジュールと通信する全ての伝送装置との間で、同期パケット及び同期応答パケットを交換することにより、図４に表された休止状態移行処理を実行できる。
【００６１】
ここに挙げられた全ての例及び特定の用語は、読者が、本発明及び当該技術の促進に対する本発明者により寄与された概念を理解することを助ける、教示的な目的において意図されたものであり、本発明の優位性及び劣等性を示すことに関する、本明細書の如何なる例の構成、そのような特定の挙げられた例及び条件に限定しないように解釈されるべきものである。本発明の実施形態は詳細に説明されているが、本発明の精神及び範囲から外れることなく、様々な変更、置換及び修正をこれに加えることが可能であることを理解されたい。
【００６２】
以上説明した実施形態及びその変形例に関し、更に以下の付記を開示する。
（付記１）
伝送装置であって、
通信回線と接続され、該通信回線を介して他の伝送装置と通信する少なくとも一つの送受信回路と、
前記少なくとも一つの送受信回路へ電力を供給する電源回路と、
前記他の伝送装置へ前記少なくとも一つの送受信回路の動作状態を休止状態へ移行させる時刻を指定する第１の休止開始情報を通知するとともに、該第１の休止開始情報に指定された時刻になると前記少なくとも一つの送受信回路に対して前記電源回路からの電力供給を停止する制御回路と、
を有する伝送装置。
（付記２）
前記制御回路は、前記他の伝送装置から、前記他の伝送装置の動作状態を休止状態へ移行させる時刻を指定する第２の休止開始情報を受信すると、該第２の休止開始情報において指定された時刻になったときに前記少なくとも一つの送受信回路に対して前記電源回路からの電力供給を停止する、付記１に記載の伝送装置。
（付記３）
前記制御回路は、前記他の伝送装置から、前記他の伝送装置の動作状態を休止状態へ移行させる時刻を指定する第２の休止開始情報を受信し、かつ前記第１の休止開始情報において指定された時刻が前記第２の休止開始情報において指定された時刻と異なる場合、前記少なくとも一つの送受信回路の優先度が前記他の伝送装置の優先度よりも高ければ、前記第１の休止開始情報において指定された時刻になると前記少なくとも一つの送受信回路に対して前記電源回路からの電力供給を停止し、一方、前記少なくとも一つの送受信回路の優先度が前記他の伝送装置の優先度よりも低ければ、前記第２の休止開始情報において指定された時刻になると前記少なくとも一つの送受信回路に対して前記電源回路からの電力供給を停止する、付記１に記載の伝送装置。
（付記４）
前記第１の休止開始情報は、前記少なくとも一つの送受信回路に対する前記電源回路からの電力供給が停止されてから、電力供給が再開されるまでの休止時間をさらに含む、付記１〜３の何れか一項に記載の伝送装置。
（付記５）
前記制御回路は、前記第１の休止開始情報により指定された時刻よりも前において、前記少なくとも一つの送受信回路が前記他の伝送装置から信号を受信できないときは、前記少なくとも一つの送受信回路が前記他の伝送装置と通信できないことを表す警報信号を出力し、一方、前記第１の休止開始情報により指定された時刻よりも後に前記少なくとも一つの送受信回路が前記他の伝送装置から信号を受信できなくても前記警報信号を出力しない、付記１に記載の伝送装置。
（付記６）
通信回線と接続され、該通信回線を介して他の伝送装置と通信する少なくとも一つの送受信回路と、前記少なくとも一つの送受信回路へ電力を供給する電源回路とを有する伝送装置の休止方法であって、
前記他の伝送装置へ前記少なくとも一つの送受信回路の動作状態を休止状態へ移行させる時刻を指定する第１の休止開始情報を通知し、
前記第１の休止開始情報に指定された時刻になると前記少なくとも一つの送受信回路に対して前記電源回路からの電力供給を停止する、
ことを含む伝送装置の休止方法。
【符号の説明】
【００６３】
１    伝送装置
２−１、２−２、・・・、２−ｎ    通信回線
１１    装置制御回路
１２    スイッチ
１３    電源回路
１４−１、１４−２、・・・、１４−ｎ    送受信モジュール
２１    送受信回路
２２    制御回路
３    伝送装置
３１    送受信モジュール
【図１】
2010263588.tif 000003
【図２】
2010263588.tif 000004
【図３】
2010263588.tif 000005
【図４】
2010263588.tif 000006
【図５】
2010263588.tif 000007